(57)【要約】【課題】  比較的大きな角度領域にわたって調整可能な振動性の噴流を形成でき、この扇状噴流が流体力学的に安定した特性を備えるようにすること。【解決手段】  ガラス、とりわけ自動車の窓ガラスを湿らすための装置において、ノズル体（２０）を支持する球状体（１５）が、装着体（１）の支承ヘッド（９）内に形成された収容空間（１０）に装着される。この収容空間（１０）は前記球状体（１５）と、球状体をリングショルダと共に固定する複数の抵抗突起（１２）とを有する。抵抗突起はさらに収容空間（１０）の部分領域として、流体圧緩和空間に流入する液状流体、例えば洗浄水を流体力学的に安定させるために用いられる。これにより確実に振動する扇状噴流が形成される。【選択図】  図３
2011500408.tif 000002
【特許請求の範囲】
【請求項１】
ガラス、とりわけ自動車の窓ガラスを湿らすための装置であって、
少なくとも一つの流体管路が接続可能であり、支承ヘッド（９）を有する装着体（１）と、
前記支承ヘッド（９）に装着され、該支承ヘッド内に回転可能ならびに旋回可能に、裏壁（１４）から間隔をおき、かつ流体圧緩和空間（３７）を形成して保持された球状体（１５）とを有し、
該球状体（１５）はノズル装置（２０）を支持し、該ノズル装置により窓を湿らすことができる形式の装置において、
前記ノズル装置はノズル体（２０）を有し、
該ノズル体は前室（２３）と、該前室（２３）に接続可能な噴流形成室（２６）とを有し、
該噴流形成室（２６）は、中央チャネル（２７）と、該中央チャネル（２７）の両側に配置された２つの側方アームチャネル（２８，２９）に分割されており、
これにより振動する扇状噴流が形成されること、
前記球状体（１５）内にはノズル収容空間（１９）が形成されており、
該ノズル収容空間は、端面（１７）から前記球状体（１５）を横断して伸長し、該端面（１７）に対向する当該ノズル収容空間の裏側（１８）で前記流体圧緩和空間（３７）に合流すること、
前記支承ヘッド（９）は周回するリングショルダ（３２）を有し、
該リングショルダ（３２）は、前記支承ヘッド（９）の開放した窓開口部（１１）の領域に配置されていること、
前記支承ヘッド（９）と、前記球状体（１５）との間に、前記リングショルダー（３２）の前記裏壁（１４）に向いた側に半径方向の間隔（空隙）が設けられていること、及び
前記支承ヘッド（９）は複数の抵抗突起（１２）を有し、
該抵抗突起（１２）は、前記裏壁（１４）に向いた側において前記リングショルダ（３２）に対向して、前記球状体（１５）に当接し、かつ流体圧緩和空間（３７）に配置されていること、
を特徴とする装置。
【請求項２】
前記抵抗突起（１２）は、長手方向で前記球状体（１５）の裏側（１８）から、前記裏壁（１４）の方向に伸長する長手の部材であること、を特徴とする請求項１記載の装置。
【請求項３】
前記ノズル体（２０）は、流体圧緩和空間（３７）に流入する流体流入空間（３５）の長手方向に対して約４５°よりも大きな角度で配向されていること、を特徴とする請求項１または２記載の装置。
【請求項４】
前記ノズル体（２０）の流入開口部（２４）は、前記流体流入開口部（３５）の接続開口部（３６）に対してずらして配置されていること、を特徴とする請求項３記載の装置。
【発明の詳細な説明】
【技術分野】
【０００１】
本発明は、請求項１の上位概念（前置部）による、ガラス、とりわけ自動車の窓ガラスを湿らすための装置に関する。
【背景技術】
【０００２】
この種の装置は、ＤＥ  ８９  ０５  ６３５  Ｕ１から公知である。この公知の装置は装着体を有し、この装着体には少なくとも一つの流体管路を接続することができ、この装着体はスリーブ状の支承ヘッドを有する。さらに球状体が設けられており、この球状体は前記支承ヘッドに装着され、これに回転可能ならびに旋回可能に、裏壁から間隔をおいて流体圧緩和空間を形成して保持されている。球状体はノズル構成体を支持し、このノズル構成体を介して流出する液状流体によりガラスを湿らすことができる。
【先行技術文献】
【特許文献】
【０００３】
【特許文献１】ＤＥ  ８９  ０５  ６３５  Ｕ１
【発明の概要】
【発明が解決しようとする課題】
【０００４】
本発明の基礎とする課題は、冒頭に述べた形式の装置において、比較的に大きな角度領域にわたって調整可能な、振動性の扇状噴流を形成することができ、この扇状噴流が流体力学的に安定した特性を備えるようにすることである。
【課題を解決するための手段】
【０００５】
この課題は冒頭に述べた形式の装置において、請求項１の特徴部分の構成によって解決される。
【０００６】
本発明の装置では流体圧緩和空間（Stroemungsentspannungsraum）に複数の抵抗突起を配置することにより、一方では球状体がリングショルダを介して比較的に大きな領域で、支承ヘッドの内壁から所定の半径方向距離を以て保持される。これにより支承ヘッドの内壁では球状体の当接領域の面積が比較的に小さいことに基づき、固着の危険性が低減される。さらに抵抗突起は流体力学的なタービュレータ（乱流化手段）として作用し、このタービュレータは流体圧緩和空間内の流れを、ノズル体の前室に流入する前に均質化し、これにより振動性の扇状噴流を形成するための、流体力学的に安定した特性が得られる。
【０００７】
本発明のさらなる有利な構成および利点は従属請求項の対象である。
【０００８】
本発明のさらなる利点は、図面を参照した以下の実施例の説明から明らかとなる。
【図面の簡単な説明】
【０００９】
【図１】装着体、球状体、およびノズル体を備える本発明の装置の一実施例の展開斜視図である。
【図２】図１の実施例のノズル体の斜視図である。
【図３】、図１の実施例を、装着体の支承ヘッドの領域での縦断面で示す図である。
【発明を実施するための形態】
【００１０】
図１は、本発明の装置の実施例の展開斜視図を示す。この装置は、ハードエラスティック（硬質弾性）なプラスチック材料から作製される装着体（取付部材）１を有する。装着体１は、ほぼ平行六面体形状のソケット部分２を有する。このソケット部分では相互に対向する壁側にそれぞれ一つの接続パイプ３、４が成形されている。各接続パイプ３、４は、図１に図示しない流体管路システムの流体管路を接続するために用いられる。さらにソケット部分２には、図１では裏側にあり、ソケット部分２の端部を越えて突き出た弁ロック突起５が形成されている。この弁ロック突起５には図１に図示しない逆止弁構成体を装着することができ、これを弁ロック突起５に形成されたロック切欠部６を介して固定することができる。弁ロック突起５に対向する端部ではソケット部分２の相互に対向する壁側に、弁ロック突起５の方向を指す係止舌片７、８が形成されている。この係止舌片は、装着体１を図１に図示されない支持部材に固定するように構成されている。
【００１１】
さらにドーム状の支承ヘッド９を備える装着体１が形成されており、この支承ヘッド９は、弁ロック突起５に対向する端部において装着体１と結合されている。支承ヘッド９は収容空間１０を有し、この収容空間は図１では観察者に向いた側の円形窓開口部１１を除いて外に向かって（その外周部が）閉鎖されている。この収容空間１０には、窓開口部１１から間隔を置いて複数の抵抗突起１２が配置されている。この複数の抵抗突起１２は、周方向にわたって収容空間１０を画定する側壁１３に配置されており、窓開口部１１から、この窓開口部１１に対向する支承ヘッド９の裏壁１４まで長手の本体として伸長している。
【００１２】
さらに図１に示された本発明の装置の実施例は球状体１５を有する。この球状体の外側は、大円の両側に対称に伸長する、球状層としての外套面１６によって形成されている。さらに球状体１５は平坦な端面１７と、図１では観察者に向いた端面１７に対向する裏側１８とを有する。球状体１５内には平行六面体形状のノズル収容空間１９が形成されており、このノズル収容空間１９はその完全な横断面にわたり端面１７に開口している。
【００１３】
最後に図１には平行六面体形状のノズル体２０が本発明の装置の更なる構成部材として示されている。このノズル体２０の寸法はノズル収容空間１９の大きさに適合しており、これによりノズル体２０をノズル収容区間１９に、ノズル体２０に形成された流出（出口）スリット２１が端面１７の領域に達し、ノズル収容区間１９がノズル体２０により完全に埋められるまで挿入することができる。
【００１４】
図２は、図１の実施例のノズル体２０の斜視図である。ノズル体２０は、図２から分かるように閉鎖されたデッキ側２２により形成されており、このデッキ側部２２はノズル体２０の全底面にわたって伸長している。図２から分かるように、ノズル体２０は流出スリット２１に対向する前室２３を有する。この前室はこの実施例では、流出スリット２１にノズル体２０の長手方向で対向する流入開口部２４を備えている。この流入開口部２４はノズル体２０の横方向端面のほぼ四分の一にわたって中央軸線に対して対称に伸長している。前室２３は流入開口部２４から、この流入開口部２４に対向する流出開口部２５の方向に連続的に先細になっている。流出開口部２５は、前室２３と、この前室２３と流出スリット２１との間にある分割された噴流形成室（Strahlformkammer）２６との間で流体力学的接続部を形成する。
【００１５】
噴流形成室２６は、流出開口部２５から流出スリット２１の方向に、中央軸線に対して対称に伸長する中央チャネル（流路室）２７により形成され、中央チャネル２７の両側にある側方アーム（分岐）チャネル２８，２９を有する。これらの側方アームチャネルは分離ブロック（島状部）３０，３１により中央チャネル２７から分離され、流出開口部２５から弓状に流出スリット２１の方向に伸長しており、流出スリット２１の領域で中央チャネル２７に再び合流する。中央チャネル２７にあるこの合流領域に各側方アームチャネル２８，２９は、側方に外側を指す突出部を有する。中央チャネル２７自体は、流出開口部２５（の側）から流出スリット２１の方向に拡張している。噴流形成室２６のこの構成により、噴流形成室２６に流体が押し込まれるとそれ自体公知のように、流出スリット２１に向いた側の中央チャネル２７から側方アームチャネル２８，２９を介して流出開口部２５に向いた側の中央チャネル２７の領域へ至る衝撃パルスのフィードバックによって、所定の周波数で振動する扇状噴流を形成することができる。この扇状噴流はノズル体２０の流出スリット２から流出（噴出）する。ここでこの実施例では、ノズル体２０の長手方向で見た前室２３の寸法は、噴流形成室２６の長手方向の寸法よりも小さい。
【００１６】
図３は、図１と図２に関連して説明した本発明の装置の実施例による装着体１、球状体１５およびノズル体２０を、組み立てられた構成での支承ヘッド９の領域で縦断面図に示す。図３から、収容空間１０は窓開口部１１に向いた側に周回するリングショルダ３２を有することが分かる。このリングショルダ３２には球状体１５の外套面（外周面）１６が、球状体１５の中心の前方（図中左方）領域で当接している。側壁１３は、裏壁１４に向いた側のリングショルダ３２上で半径方向で外に向かってセットバック（後退して凹部を形成）されており、これにより側壁１３と外套面１６との間に自由領域（空間）３３が形成されている。さらに図３の図示から、球状体１５の裏側１８から支承ヘッド９の裏壁１４まで長手の部材として伸長する抵抗突起１２が、球状体１５の、窓開口部１１とは反対側で外套面１６に当接していることが分かる。これにより球状体１５は支承ヘッド９内に、回転可能かつ旋回可能に保持（支承）される。
【００１７】
さらに図３から、装着体１が加熱体収容空間３４を備えるように形成されていることが分かる。この加熱体収容空間３４はソケット部分２を通って伸長しており、側壁１３に終端している。この側壁１３は収容空間１０を画定し、この領域では比較的小さな材料厚をもって形成されている。加熱体収容空間３４には、図３に図示しない加熱素子を装着することができ、これにより収容空間１０ならびに収容空間１０に存在する液状流体、例えば洗浄水を、凍結回避のために加熱することができる。
【００１８】
加熱体収容空間３４に隣接して、図１に示した弁ロック突起５からソケット部分２に伸長し、裏壁１４に隣接する流体流入空間３５が形成されている。この流体流入空間３５は、先細の合流領域に形成された接続開口部３６を介して、支承ヘッド９の裏壁１４と球状体１５の裏側１８との間に形成された流体圧（ないし流動圧）緩和空間３７と接続されている。ここでノズル体２０は４５°超の角度で、流体流入空間３５の長手方向に対して角度付けられており、これにより流入開口部２４が接続開口部３６に対して横方向にずれていることと相まって、さらに流れを均質化する流体の偏向が達成される。流体圧緩和空間３７には流体力学的に作用する収容空間１０の領域として、抵抗突起１２が配置されている。この抵抗突起は、流体流入空間３５から流入する流体に過流を生じさせ、これにより流体圧緩和空間３７で流れがある程度均質化され、それから流体はノズル体２０の流入開口部２４を介してノズル体２０の前室２３に流入する。
【００１９】
流体のこの流れ均質化によってすでに流体圧緩和空間３７内で、振動する扇状噴流を噴流形成室２６で確実に形成するために必要な、流出開口部２５における安定した流体力学的パラメータが得られる。このことは前室２３が比較的短いため、支承ヘッド９がノズル体２０の長手方向に関し全体として比較的短い構造形式であっても可能である。
【００２０】
さらに抵抗突起１２の領域における流れの流体力学的影響によって、加熱体収容空間２４から発生する熱エネルギーを収容空間１０へ、最終的には凍結から保護すべき流体へ効率的に伝達することが保証される。
【図１】
2011500408.tif 000003
【図２】
2011500408.tif 000004
【図３】
2011500408.tif 000005
【手続補正書】
【提出日】平成22年6月11日(2010.6.11)
【手続補正１】
【補正対象書類名】特許請求の範囲
【補正対象項目名】全文
【補正方法】変更
【補正の内容】
【特許請求の範囲】
【請求項１】
ガラスを湿らすための装置であって、
少なくとも一つの流体管路が接続可能であり、支承ヘッド（９）を有する装着体（１）と、
前記支承ヘッド（９）に装着され、該支承ヘッド内に回転可能ならびに旋回可能に、裏壁（１４）から間隔をおき、かつ流体圧緩和空間（３７）を形成して保持された球状体（１５）とを有し、
該球状体（１５）はノズル装置（２０）を支持し、該ノズル装置により窓を湿らすことができる形式の装置において、
前記ノズル装置はノズル体（２０）を有し、
該ノズル体は前室（２３）と、該前室（２３）に接続可能な噴流形成室（２６）とを有し、
該噴流形成室（２６）は、中央チャネル（２７）と、該中央チャネル（２７）の両側に配置された２つの側方アームチャネル（２８，２９）に分割されており、
これにより振動する扇状噴流が形成されること、
前記球状体（１５）内にはノズル収容空間（１９）が形成されており、
該ノズル収容空間は、端面（１７）から前記球状体（１５）を横断して伸長し、該端面（１７）に対向する当該ノズル収容空間の裏側（１８）で前記流体圧緩和空間（３７）に合流すること、
前記支承ヘッド（９）は周回するリングショルダ（３２）を有し、
該リングショルダ（３２）は、前記支承ヘッド（９）の開放した窓開口部（１１）の領域に配置されていること、
前記支承ヘッド（９）と、前記球状体（１５）との間に、前記リングショルダー（３２）の前記裏壁（１４）に向いた側に半径方向の間隔（空隙）が設けられていること、及び
前記支承ヘッド（９）は複数の抵抗突起（１２）を有し、
該抵抗突起（１２）は、前記裏壁（１４）に向いた側において前記リングショルダ（３２）に対向して、前記球状体（１５）に当接し、かつ流体圧緩和空間（３７）に配置されていること、
を特徴とする装置。
【請求項２】
前記抵抗突起（１２）は、長手方向で前記球状体（１５）の裏側（１８）から、前記裏壁（１４）の方向に伸長する長手の部材であること、を特徴とする請求項１記載の装置。
【請求項３】
前記ノズル体（２０）は、流体圧緩和空間（３７）に流入する流体流入空間（３５）の長手方向に対して約４５°よりもおきな角度で配向されていること、を特徴とする請求項１または２記載の装置。
【請求項４】
前記ノズル体（２０）の流入開口部（２４）は、前記流体流入開口部（３５）の接続開口部（３６）に対してずらして配置されていること、を特徴とする請求項３記載の装置。
【手続補正２】
【補正対象書類名】明細書
【補正対象項目名】全文
【補正方法】変更
【補正の内容】
【発明の詳細な説明】
【技術分野】
【０００１】
本発明は、請求項１の上位概念（前置部）による、ガラス、とりわけ自動車の窓ガラスを湿らすための装置に関する。即ち本発明は、ガラス、とりわけ自動車の窓ガラスを湿らすための装置であって、少なくとも一つの流体管路が接続可能であり、支承ヘッドを有する装着体と、前記支承ヘッドに装着され、該支承ヘッド内に回転可能ならびに旋回可能に、裏壁から間隔をおき、かつ流体圧緩和空間を形成して保持された球状体とを有し、該球状体はノズル装置を支持し、該ノズル装置により窓を湿らすことができる形式の装置に関する。
【背景技術】
【０００２】
この種の装置は、ＤＥ  ８９  ０５  ６３５  Ｕ１から公知である。この公知の装置は装着体を有し、この装着体には少なくとも一つの流体管路を接続することができ、この装着体はスリーブ状の支承ヘッドを有する。さらに球状体が設けられており、この球状体は前記支承ヘッドに装着され、これに回転可能ならびに旋回可能に、裏壁から間隔をおいて流体圧緩和空間を形成して保持されている。球状体はノズル構成体を支持し、このノズル構成体を介して流出する液状流体によりガラスを湿らすことができる。
【先行技術文献】
【特許文献】
【０００３】
【特許文献１】ＤＥ  ８９  ０５  ６３５  Ｕ１
【発明の概要】
【発明が解決しようとする課題】
【０００４】
本発明の基礎とする課題は、冒頭に述べた形式の装置において、比較的に大きな角度領域にわたって調整可能な、振動性の扇状噴流を形成することができ、この扇状噴流が流体力学的に安定した特性を備えるようにすることである。
【課題を解決するための手段】
【０００５】
この課題は冒頭に述べた形式の装置において、請求項１の特徴部分の構成によって解決される。即ち本発明の一視点において、ガラスを湿らすための装置は、前記ノズル装置はノズル体を有し、該ノズル体は前室と、該前室に接続可能な噴流形成室とを有し、該噴流形成室は、中央チャネルと、該中央チャネルの両側に配置された２つの側方アームチャネルに分割されており、これにより振動する扇状噴流が形成されること、前記球状体内にはノズル収容空間が形成されており、該ノズル収容空間は、端面から前記球状体を横断して伸長し、該端面に対向する当該ノズル収容空間の裏側で前記流体圧緩和空間に合流すること、前記支承ヘッドは周回するリングショルダを有し、該リングショルダは、前記支承ヘッドの開放した窓開口部の領域に配置されていること、前記支承ヘッドと、前記球状体との間に、前記リングショルダーの前記裏壁に向いた側に半径方向の間隔（空隙）が設けられていること、及び前記支承ヘッドは複数の抵抗突起を有し、該抵抗突起は、前記裏壁に向いた側において前記リングショルダに対向して、前記球状体に当接し、かつ流体圧緩和空間に配置されていること、を特徴とする。（形態１）
なお、特許請求の範囲に付記した図面参照番号は、専ら理解を助けるためのものであり、図示の態様に限定することを意図するものではない。
【発明の効果】
【０００６】
本発明の上記一視点によれば、比較的に大きな角度領域にわたって調整可能な、振動性の扇状噴流を形成することができ、この扇状噴流が流体力学的に安定した特性を備えるようにすることができる。
即ち、本発明の装置では流体圧緩和空間（Stroemungsentspannungsraum）に複数の抵抗突起を配置することにより、一方では球状体がリングショルダを介して比較的に大きな領域で、支承ヘッドの内壁から所定の半径方向距離を以て保持される。これにより支承ヘッドの内壁では球状体の当接領域の面積が比較的に小さいことに基づき、固着の危険性が低減される。さらに抵抗突起は流体力学的なタービュレータ（乱流化手段）として作用し、このタービュレータは流体圧緩和空間内の流れを、ノズル体の前室に流入する前に均質化し、これにより振動性の扇状噴流を形成するための、流体力学的に安定した特性が得られる。
【０００７】
本発明のさらなる有利な構成および利点は従属請求項の対象である。即ち以下の形態が含まれる。
前記抵抗突起は、長手方向で前記球状体の裏側から、前記裏壁の方向に伸長する長手の部材であること、が好ましい。（形態２）
前記ノズル体は、流体圧緩和空間に流入する流体流入空間の長手方向に対して約４５°よりも大きな角度で配向されていることが好ましい。（形態３）
前記ノズル体の流入開口部は、前記流体流入開口部の接続開口部に対してずらして配置されていること、が好ましい。（形態４）
【０００８】
本発明のさらなる利点は、図面を参照した以下の実施例の説明から明らかとなる。
【図面の簡単な説明】
【０００９】
【図１】装着体、球状体、およびノズル体を備える本発明の装置の一実施例の展開斜視図である。
【図２】図１の実施例のノズル体の斜視図である。
【図３】、図１の実施例を、装着体の支承ヘッドの領域での縦断面で示す図である。
【発明を実施するための形態】
【００１０】
図１は、本発明の装置の実施例の展開斜視図を示す。この装置は、ハードエラスティック（硬質弾性）なプラスチック材料から作製される装着体（取付部材）１を有する。装着体１は、ほぼ平行六面体形状のソケット部分２を有する。このソケット部分では相互に対向する壁側にそれぞれ一つの接続パイプ３、４が成形されている。各接続パイプ３、４は、図１に図示しない流体管路システムの流体管路を接続するために用いられる。さらにソケット部分２には、図１では裏側にあり、ソケット部分２の端部を越えて突き出た弁ロック突起５が形成されている。この弁ロック突起５には図１に図示しない逆止弁構成体を装着することができ、これを弁ロック突起５に形成されたロック切欠部６を介して固定することができる。弁ロック突起５に対向する端部ではソケット部分２の相互に対向する壁側に、弁ロック突起５の方向を指す係止舌片７、８が形成されている。この係止舌片は、装着体１を図１に図示されない支持部材に固定するように構成されている。
【００１１】
さらにドーム状の支承ヘッド９を備える装着体１が形成されており、この支承ヘッド９は、弁ロック突起５に対向する端部において装着体１と結合されている。支承ヘッド９は収容空間１０を有し、この収容空間は図１では観察者に向いた側の円形窓開口部１１を除いて外に向かって（その外周部が）閉鎖されている。この収容空間１０には、窓開口部１１から間隔を置いて複数の抵抗突起１２が配置されている。この複数の抵抗突起１２は、周方向にわたって収容空間１０を画定する側壁１３に配置されており、窓開口部１１から、この窓開口部１１に対向する支承ヘッド９の裏壁１４まで長手の本体として伸長している。
【００１２】
さらに図１に示された本発明の装置の実施例は球状体１５を有する。この球状体の外側は、大円の両側に対称に伸長する、球状層としての外套面１６によって形成されている。さらに球状体１５は平坦な端面１７と、図１では観察者に向いた端面１７に対向する裏側１８とを有する。球状体１５内には平行六面体形状のノズル収容空間１９が形成されており、このノズル収容空間１９はその完全な横断面にわたり端面１７に開口している。
【００１３】
最後に図１には平行六面体形状のノズル体２０が本発明の装置の更なる構成部材として示されている。このノズル体２０の寸法はノズル収容空間１９の大きさに適合しており、これによりノズル体２０をノズル収容区間１９に、ノズル体２０に形成された流出（出口）スリット２１が端面１７の領域に達し、ノズル収容区間１９がノズル体２０により完全に埋められるまで挿入することができる。
【００１４】
図２は、図１の実施例のノズル体２０の斜視図である。ノズル体２０は、図２から分かるように閉鎖されたデッキ側２２により形成されており、このデッキ側部２２はノズル体２０の全底面にわたって伸長している。図２から分かるように、ノズル体２０は流出スリット２１に対向する前室２３を有する。この前室はこの実施例では、流出スリット２１にノズル体２０の長手方向で対向する流入開口部２４を備えている。この流入開口部２４はノズル体２０の横方向端面のほぼ四分の一にわたって中央軸線に対して対称に伸長している。前室２３は流入開口部２４から、この流入開口部２４に対向する流出開口部２５の方向に連続的に先細になっている。流出開口部２５は、前室２３と、この前室２３と流出スリット２１との間にある分割された噴流形成室（Strahlformkammer）２６との間で流体力学的接続部を形成する。
【００１５】
噴流形成室２６は、流出開口部２５から流出スリット２１の方向に、中央軸線に対して対称に伸長する中央チャネル（流路室）２７により形成され、中央チャネル２７の両側にある側方アーム（分岐）チャネル２８，２９を有する。これらの側方アームチャネルは分離ブロック（島状部）３０，３１により中央チャネル２７から分離され、流出開口部２５から弓状に流出スリット２１の方向に伸長しており、流出スリット２１の領域で中央チャネル２７に再び合流する。中央チャネル２７にあるこの合流領域に各側方アームチャネル２８，２９は、側方に外側を指す突出部を有する。中央チャネル２７自体は、流出開口部２５（の側）から流出スリット２１の方向に拡張している。噴流形成室２６のこの構成により、噴流形成室２６に流体が押し込まれるとそれ自体公知のように、流出スリット２１に向いた側の中央チャネル２７から側方アームチャネル２８，２９を介して流出開口部２５に向いた側の中央チャネル２７の領域へ至る衝撃パルスのフィードバックによって、所定の周波数で振動する扇状噴流を形成することができる。この扇状噴流はノズル体２０の流出スリット２から流出（噴出）する。ここでこの実施例では、ノズル体２０の長手方向で見た前室２３の寸法は、噴流形成室２６の長手方向の寸法よりも小さい。
【００１６】
図３は、図１と図２に関連して説明した本発明の装置の実施例による装着体１、球状体１５およびノズル体２０を、組み立てられた構成での支承ヘッド９の領域で縦断面図に示す。図３から、収容空間１０は窓開口部１１に向いた側に周回するリングショルダ３２を有することが分かる。このリングショルダ３２には球状体１５の外套面（外周面）１６が、球状体１５の中心の前方（図中左方）領域で当接している。側壁１３は、裏壁１４に向いた側のリングショルダ３２上で半径方向で外に向かってセットバック（後退して凹部を形成）されており、これにより側壁１３と外套面１６との間に自由領域（空間）３３が形成されている。さらに図３の図示から、球状体１５の裏側１８から支承ヘッド９の裏壁１４まで長手の部材として伸長する抵抗突起１２が、球状体１５の、窓開口部１１とは反対側で外套面１６に当接していることが分かる。これにより球状体１５は支承ヘッド９内に、回転可能かつ旋回可能に保持（支承）される。
【００１７】
さらに図３から、装着体１が加熱体収容空間３４を備えるように形成されていることが分かる。この加熱体収容空間３４はソケット部分２を通って伸長しており、側壁１３に終端している。この側壁１３は収容空間１０を画定し、この領域では比較的小さな材料厚をもって形成されている。加熱体収容空間３４には、図３に図示しない加熱素子を装着することができ、これにより収容空間１０ならびに収容空間１０に存在する液状流体、例えば洗浄水を、凍結回避のために加熱することができる。
【００１８】
加熱体収容空間３４に隣接して、図１に示した弁ロック突起５からソケット部分２に伸長し、裏壁１４に隣接する流体流入空間３５が形成されている。この流体流入空間３５は、先細の合流領域に形成された接続開口部３６を介して、支承ヘッド９の裏壁１４と球状体１５の裏側１８との間に形成された流体圧（ないし流動圧）緩和空間３７と接続されている。ここでノズル体２０は４５°超の角度で、流体流入空間３５の長手方向に対して角度付けられており、これにより流入開口部２４が接続開口部３６に対して横方向にずれていることと相まって、さらに流れを均質化する流体の偏向が達成される。流体圧緩和空間３７には流体力学的に作用する収容空間１０の領域として、抵抗突起１２が配置されている。この抵抗突起は、流体流入空間３５から流入する流体に過流を生じさせ、これにより流体圧緩和空間３７で流れがある程度均質化され、それから流体はノズル体２０の流入開口部２４を介してノズル体２０の前室２３に流入する。
【００１９】
流体のこの流れ均質化によってすでに流体圧緩和空間３７内で、振動する扇状噴流を噴流形成室２６で確実に形成するために必要な、流出開口部２５における安定した流体力学的パラメータが得られる。このことは前室２３が比較的短いため、支承ヘッド９がノズル体２０の長手方向に関し全体として比較的短い構造形式であっても可能である。
【００２０】
さらに抵抗突起１２の領域における流れの流体力学的影響によって、加熱体収容空間２４から発生する熱エネルギーを収容空間１０へ、最終的には凍結から保護すべき流体へ効率的に伝達することが保証される。
【国際調査報告】
2011500408.tif 000006
2011500408.tif 000007
2011500408.tif 000008
2011500408.tif 000009
2011500408.tif 000010
2011500408.tif 000011